(57)【要約】【課題】  白色ないしそれに近い背景の上に描かれたイエロー文字の視認性を高める。【解決手段】  Ｙ成分の画素値に基づいて、エッジ部分に該当する画素が検出された後（Ｓ３）、色文字領域に該当する画素が検出される（Ｓ４）。次に、各画素についてＹＣＭ各成分の画素値が検出される（ステップＳ５）。次に、各画素について、Ｙ成分の画素値がＭ成分及びＣ成分の画素値に比べて極端に大きいか否かが判定される（Ｓ６）。続いて、各画素について、当該画素がエッジ部分に該当し、且つ色文字領域に該当するか否かが判定される（ステップＳ７）。ステップＳ６及びＳ７の判定が共に肯定的である場合には、Ｃ成分及びＭ成分の画素値が高めに変換され（ステップＳ８）、何れかの判定が否定的である場合には変換は行われない。次に、画像信号がプリントされる（Ｓ９）。【選択図】      図８
2007067908.tif 000002
【特許請求の範囲】
【請求項１】
入力画像信号のうちの文字の領域である文字領域を検出する文字領域検出部と、
前記入力画像信号のうちのエッジ部分を検出するエッジ検出部と、
前記入力画像信号をイエロー、シアン及びマゼンタを含む色成分により表現した形式で受け入れ、イエローの濃度がシアン及びマゼンタの濃度に比べて所定基準を超えて高い部分であるイエロー部分を検出するイエロー検出部と、
前記文字領域であり且つ前記エッジ部分であり且つ前記イエロー部分であるイエロー文字エッジ部分に対して、前記色成分のうちのイエローを除く少なくとも一つの濃度を高めるよう前記入力画像信号の変換を行うエッジ強調処理部と、
を備える画像処理装置。
【請求項２】
前記文字領域検出部は、前記入力画像信号のうちの有彩色文字の領域である色文字領域を、前記文字領域として検出する請求項１記載の画像処理装置。
【請求項３】
前記エッジ検出部は、前記エッジ部分として、主走査方向に沿って濃度が急激に増加又は減少する部分のうちの一方である第１エッジ部分と、副走査方向に沿って濃度が急激に増加又は減少する部分のうちの一方である第２エッジ部分と、前記第１エッジ部分及び前記第２エッジ部分の双方からなる第３エッジ部分と、の何れか一つのみを検出する請求項１又は２記載の画像処理装置。
【請求項４】
前記イエロー検出部は、前記入力画像信号のうちの、イエローの濃度がシアンの濃度よりも第１所定値を越えて高く、且つイエローの濃度がマゼンタの濃度よりも第２所定値を越えて高い部分を、前記イエロー部分として検出する請求項１ないし３の何れかに記載の画像処理装置。
【請求項５】
前記イエロー検出部は、ブラックを更に含む色成分により表現した形式で前記入力信号を受け入れ、
前記エッジ強調処理部は、前記イエロー文字エッジ部分に対して、少なくともブラックの濃度を高めることにより、前記変換を行う請求項１ないし４の何れかに記載の画像処理装置。
【請求項６】
前記エッジ強調処理部は、前記イエロー文字エッジ部分に対して、前記色成分のうちのイエローを除く少なくとも一つの濃度に第３所定値を加算することにより、前記変換を行う請求項１ないし５の何れかに記載の画像処理装置。
【請求項７】
前記エッジ強調処理部は、前記イエロー文字エッジ部分に対して、前記色成分のうちのイエローを除く少なくとも一つの濃度を第４所定値とすることにより、前記変換を行う請求項１ないし５の何れかに記載の画像処理装置。
【請求項８】
前記エッジ強調処理部は、前記イエロー文字エッジ部分に対して、イエローの濃度を引き下げる処理を前記変換として更に行う請求項１ないし７の何れかに記載の画像処理装置。
【請求項９】
請求項１ないし８の何れかに記載の画像処理装置と、
原稿画像を読み取ることにより画像信号を生成し、生成した当該画像信号を前記画像処理装置へ前記入力画像信号として供給するスキャナ部と、を備える画像形成装置。
【請求項１０】
請求項１ないし８の何れかに記載の画像処理装置と、
前記画像処理装置が出力する画像信号を記録材に印画する印画部と、を備える画像形成装置。
【請求項１１】
入力画像信号のうちの文字の領域である文字領域を検出する文字領域検出工程と、
前記入力画像信号のうちのエッジ部分を検出するエッジ検出工程と、
前記入力信号をイエロー、シアン及びマゼンタを含む色成分により表現した形式で受け入れ、イエローの濃度がシアン及びマゼンタの濃度に比べて所定基準を超えて高い部分であるイエロー部分を検出するイエロー検出工程と、
前記文字領域であり且つ前記エッジ部分であり且つ前記イエロー部分であるイエロー文字エッジ部分に対して、前記色成分のうちのイエローを除く少なくとも一つの濃度を高めるよう前記入力画像信号の変換を行うエッジ強調処理工程と、
を備える画像処理方法。
【請求項１２】
コンピュータを、
入力画像信号のうちの文字の領域である文字領域を検出する文字領域検出手段と、
前記入力画像信号のうちのエッジ部分を検出するエッジ検出手段と、
前記入力信号をイエロー、シアン及びマゼンタを含む色成分により表現した形式で受け入れ、イエローの濃度がシアン及びマゼンタの濃度に比べて所定基準を超えて高い部分であるイエロー部分を検出するイエロー検出手段と、
前記文字領域であり且つ前記エッジ部分であり且つ前記イエロー部分であるイエロー文字エッジ部分に対して、前記色成分のうちのイエローを除く少なくとも一つの濃度を高めるよう前記入力画像信号の変換を行うエッジ強調処理手段として機能させる画像処理プログラム。
【発明の詳細な説明】
【技術分野】
【０００１】
本発明は、画像信号の変換を行う画像処理技術及び当該画像処理技術を利用した画像形成技術に関する。
【背景技術】
【０００２】
カラーの画像形成装置において、入力された画像信号が有彩色の下地（色付き下地と称する）に描かれた無彩色の文字（黒文字と称する）を表している場合に、当該黒文字を検出し、当該黒文字について、ブラック（ＢＫと称する）の濃度を高めるとともに、イエロー（Ｙと称する）、シアン（Ｃと称する）、マゼンタ（Ｍと称する）の濃度を低くする技術が知られている（例えば、特許文献１の段落「０００１」）。すなわち、当該従来技術は、黒文字をブラック単色で再現し、それにより記録紙に印画される画像の品質の向上を図っている。
【特許文献１】特開平８−１８６７２５号公報
【発明の開示】
【発明が解決しようとする課題】
【０００３】
しかしながら、イエローが主体となっている文字（イエロー文字と称する）が白色ないしそれに近い色の下地に描かれている場合には、文字が視覚上不明瞭となる。上記従来技術による画像形成装置は、黒色の文字にしか対応していないために、かかるイエロー文字の視認性を高めることはできなかった。
【０００４】
本発明は上記の問題点に鑑みてなされたもので、白色ないしそれに近い背景の上に描かれたイエロー文字の視認性を高める画像処理技術、及び当該画像処理技術を利用する画像形成技術を提供することを目的とする。
【課題を解決するための手段】
【０００５】
上記課題を解決し上記目的を達成するために、本発明のうち第１の態様に係るものは、画像処理装置であって、入力画像信号のうちの文字の領域である文字領域を検出する文字領域検出部と、前記入力画像信号のうちのエッジ部分を検出するエッジ検出部と、前記入力画像信号をイエロー、シアン及びマゼンタを含む色成分により表現した形式で受け入れ、イエローの濃度がシアン及びマゼンタの濃度に比べて所定基準を超えて高い部分であるイエロー部分を検出するイエロー検出部と、前記文字領域であり且つ前記エッジ部分であり且つ前記イエロー部分であるイエロー文字エッジ部分に対して、前記色成分のうちのイエローを除く少なくとも一つの濃度を高めるよう前記入力画像信号の変換を行うエッジ強調処理部と、を備えるものである。
【０００６】
この構成によれば、入力画像信号の中から文字領域が判別されるとともに、エッジ部分が検出され、イエロー部分が検出される。文字領域であり、エッジ部分であり、且つイエロー部分であるイエロー文字エッジ部分は、イエローが主体となっている文字領域のエッジ部分である。文字の背景が白色ないしそれに近い場合には、イエロー主体の文字の輪郭は、画像信号を記録材に印画したり、或いはディスプレイに表示したりしたときに、視覚上不明瞭となる。エッジ強調処理部は、イエロー文字エッジ部分に対して、イエローを除く少なくとも一つの色成分の濃度を高めるよう入力画像信号の変換を行う。すなわち、イエロー文字エッジ部分に対して、一種のエッジ強調処理が施される。それにより、文字の輪郭が視覚上明瞭なものとなり、文字の視認性が向上する。
【０００７】
なお、イエロー検出部が採用する所定基準は、一定値である必要はなく、またシアンとマゼンタとの間で同一である必要もない。例えば、イエロー検出部は、イエローとシアン及びマゼンタとの間の濃度の差、或いは濃度の比を、所定の値と比較することにより、イエロー部分を検出するものであってもよく、イエロー、マゼンタ、及びシアンの濃度を変数とする何らかの関数、例えば和を算出し、当該関数の値を所定の値と比較するものであってもよく、様々な形態を採り得る。
【０００８】
また、文字領域、エッジ部分、及びイエロー部分は、それらのうちの一つが検出された範囲内で他の一つが検出されるものであっても良い。例えば、エッジ検出部は、文字領域検出部が検出した文字領域の中で、エッジ部分を検出するものであっても良く、イエロー検出部は、検出された文字領域且つエッジ部分に該当する部分の中で、イエロー部分を検出するものであっても良い。本構成は、かかる形態をも包含する。
【０００９】
本発明のうち第２の態様に係るものは、第１の態様に係る画像処理装置であって、前記文字領域検出部は、前記入力画像信号のうちの有彩色文字の領域である色文字領域を、前記文字領域として検出するものである。
【００１０】
この構成によれば、エッジ強調を行うべき文字領域として、色文字領域が選ばれる。このため、無彩色文字の領域について不必要なエッジ強調処理が行われ、それにより無彩色文字領域のエッジ部分が着色されたり、無彩色文字領域のエッジ部分の濃度が不必要に高くなる不都合が回避される。
【００１１】
本発明のうち第３の態様に係るものは、第１又は第２の態様に係る画像処理装置であって、前記エッジ検出部は、前記エッジ部分として、主走査方向に沿って濃度が急激に増加又は減少する部分のうちの一方である第１エッジ部分と、副走査方向に沿って濃度が急激に増加又は減少する部分のうちの一方である第２エッジ部分と、前記第１エッジ部分及び前記第２エッジ部分の双方からなる第３エッジ部分と、の何れか一つのみを検出するものである。
【００１２】
この構成によれば、第１ないし第３エッジ部分のうちの何れか一つのみがエッジ部分として検出されるので、イエロー主体の文字に、あたかも主走査方向又はその逆方向の一方、副走査方向又はその逆方向の一方、又はそれらの双方から照射された光線によって生成される陰影が文字に付随したような画像信号が得られる。このため、比較的細い文字であっても、イエロー主体の文字本来の色の部分を残しつつエッジ強調を施すことが可能となる。また、イエロー主体の文字に、視覚上、独特の美観が加わる。
【００１３】
なお、エッジ検出部が、濃度が急激に変化する部分としてエッジ部分を検出する際の濃度は、特定の色成分の濃度であっても、複数の濃度の組合せであってもよい。例えば、最も簡素且つ合理的な形態として、Ｙ（輝度）、Ｕ（色差）及びＶ（色差）を色成分とした場合のＹ（輝度）成分の濃度を採ることができる。
【００１４】
本発明のうち第４の態様に係るものは、第１ないし第３の何れかの態様に係る画像処理装置であって、前記イエロー検出部は、前記入力画像信号のうちの、イエローの濃度がシアンの濃度よりも第１所定値を越えて高く、且つイエローの濃度がマゼンタの濃度よりも第２所定値を越えて高い部分を、前記イエロー部分として検出するものである。
【００１５】
この構成によれば、イエロー検出部は、イエローの濃度がシアン及びイエローの濃度の何れよりも、各々に設定された所定値を越えて高い部分を、イエロー部分として検出するので、イエローエッジ検出部を簡素に構成することができる。
【００１６】
本発明のうち第５の態様に係るものは、第１ないし第４の何れかの態様に係る画像処理装置であって、前記イエロー検出部は、ブラックを更に含む色成分により表現した形式で前記入力信号を受け入れ、前記エッジ強調処理部は、前記イエロー文字エッジ部分に対して、少なくともブラックの濃度を高めることにより、前記変換を行うものである。
【００１７】
この構成によれば、エッジ強調処理部は、少なくともブラックの濃度を高めることによってエッジ強調を行うので、イエロー文字の視認性が効果的に高められる。
【００１８】
本発明のうち第６の態様に係るものは、第１ないし第５の何れかの態様に係る画像処理装置であって、前記エッジ強調処理部は、前記イエロー文字エッジ部分に対して、前記色成分のうちのイエローを除く少なくとも一つの濃度に第３所定値を加算することにより、前記変換を行うものである。
【００１９】
この構成によれば、エッジ強調処理部は、イエローを除く少なくとも一つの色成分の濃度に、所定値を加算することによってエッジ強調を行うので、エッジ強調処理部を簡素に構成することができる。
【００２０】
本発明のうち第７の態様に係るものは、第１ないし第５の何れかの態様に係る画像処理装置であって、前記エッジ強調処理部は、前記イエロー文字エッジ部分に対して、前記色成分のうちのイエローを除く少なくとも一つの濃度を第４所定値とすることにより、前記変換を行うものである。
【００２１】
この構成によれば、エッジ強調処理部は、イエローを除く少なくとも一つの色成分の濃度を所定値とすることによってエッジ強調を行うので、エッジ強調処理部を簡素に構成することができる。
【００２２】
本発明のうち第８の態様に係るものは、第１ないし第７の何れかの態様に係る画像処理装置であって、前記エッジ強調処理部は、前記イエロー文字エッジ部分に対して、イエローの濃度を引き下げる処理を前記変換として更に行うものである。
【００２３】
この構成によれば、エッジ強調処理部は、エッジ強調処理として、イエローの濃度を引き下げる処理を更に行うので、画像信号を印画した場合に、不必要なイエローの記録を抑え、それによりインク、トナー等の記録剤を幾分か節減することができる。
【００２４】
本発明のうち第９の態様に係るものは、画像形成装置であって、第１ないし第８の何れかの態様に係る画像処理装置と、原稿画像を読み取ることにより画像信号を生成し、生成した当該画像信号を前記画像処理装置へ前記入力画像信号として供給するスキャナ部と、を備えるものである。
【００２５】
この構成によれば、本発明の画像処理装置と、当該画像処理装置に入力画像信号を供給するスキャナ部とが備わるので、原稿画像を読み取り、且つ読み取って得られた画像信号の中のイエロー主体の文字の視認性を高めることができる。
【００２６】
本発明のうち第１０の態様に係るものは、画像形成装置であって、第１ないし第８の何れかの態様に係る画像処理装置と、前記画像処理装置が出力する画像信号を記録材に印画する印画部と、を備えるものである。
【００２７】
この構成によれば、本発明の画像処理装置と、当該画像処理装置が出力する画像信号を記録材に印画する印画部とが備わるので、イエロー主体の文字の視認性を高めた形態で入力画像信号を記録材に印画することができる。
【００２８】
本発明のうち第１１の態様に係るものは、画像処理方法であって、入力画像信号のうちの文字の領域である文字領域を検出する文字領域検出工程と、前記入力画像信号のうちのエッジ部分を検出するエッジ検出工程と、前記入力信号をイエロー、シアン及びマゼンタを含む色成分により表現した形式で受け入れ、イエローの濃度がシアン及びマゼンタの濃度に比べて所定基準を超えて高い部分であるイエロー部分を検出するイエロー検出工程と、前記文字領域であり且つ前記エッジ部分であり且つ前記イエロー部分であるイエロー文字エッジ部分に対して、前記色成分のうちのイエローを除く少なくとも一つの濃度を高めるよう前記入力画像信号の変換を行うエッジ強調処理工程と、を備えるものである。
【００２９】
この構成によれば、上記各工程が備わるので、本発明の画像処理装置について述べたと同様の理由により、白色ないしそれに近い背景の上に描かれたイエロー主体の文字の視認性が向上する。
【００３０】
本発明のうち第１２の態様に係るものは、画像処理プログラムであって、コンピュータを、入力画像信号のうちの文字の領域である文字領域を検出する文字領域検出手段と、前記入力画像信号のうちのエッジ部分を検出するエッジ検出手段と、前記入力信号をイエロー、シアン及びマゼンタを含む色成分により表現した形式で受け入れ、イエローの濃度がシアン及びマゼンタの濃度に比べて所定基準を超えて高い部分であるイエロー部分を検出するイエロー検出手段と、前記文字領域であり且つ前記エッジ部分であり且つ前記イエロー部分であるイエロー文字エッジ部分に対して、前記色成分のうちのイエローを除く少なくとも一つの濃度を高めるよう前記入力画像信号の変換を行うエッジ強調処理手段として機能させるものである。
【００３１】
この構成によれば、コンピュータが上記各手段として機能するので、本発明の画像処理装置について述べたと同様の理由により、白色ないしそれに近い背景の上に描かれたイエロー主体の文字の視認性が向上する。
【発明の効果】
【００３２】
以上のように本発明によれば、白色ないしそれに近い背景の上に描かれたイエロー文字の視認性が向上する。
【発明を実施するための最良の形態】
【００３３】
（装置の全体構成）
図１は、本発明の一実施の形態による画像形成装置の構成を示すブロック図である。この画像形成装置１００は、スキャナ部１０、画像処理部２０、印画部３０及び制御部４０を備えている。スキャナ部１０は、原稿の画像を光学的に読み取って画像信号を生成するものであり、露光ランプ１１、ＣＣＤ（電荷結合素子）１２、及びＡＦＥ（Analog Front End;アナログフロントエンド）１３を含んでいる。ＡＦＥ１３は、不図示のアナログデジタル変換器を有している。
【００３４】
スキャナ部１０は、露光ランプ１１により原稿を照射し、その反射光をＣＣＤ１２で受光することにより、原稿から画像を読み取り、この読み取った画像に対応する画像信号をＡＦＥ１３によりアナログ形式からデジタル形式へ変換した上で、画像処理部２０へ出力する。スキャナ部１０は、モノクロ原稿だけでなく、カラー原稿や写真原稿の読み取りも可能な構成となっている。図１の例では、スキャナ部１０は、レッド（Ｒと称する）、グリーン（Ｇと称する）及びブルー（Ｂと称する）を色成分とするカラーの画像信号を出力する。当該画像信号は、例えば色成分毎に２５６階調を有するように、各画素の色成分毎に例えば８ビットで表現される。スキャナ部１０の構成は従来周知であるので、その詳細な説明は略する。
【００３５】
画像処理部２０は、スキャナ部１０から入力された画像信号に対する各種画像処理を行うものであり、画像メモリ２２、入力画像処理部２３及び印字画像処理部２４を含んでいる。入力画像処理部２３は、本発明の画像処理装置の実施の形態に該当するもので、入力画像信号に対して、レベル補正、γ補正等の所定の補正処理、画像信号の圧縮又は伸張処理、拡大又は縮小処理等の種々の画像処理（加工処理）を行う。注目すべきは、後述するように、画像処理部２３がイエロー文字にエッジ強調を施す機能を有していることである。画像メモリ２２は、入力画像処理部２３によって処理された画像信号を記憶するもので、そのために、例えば、ＨＤＤ（Hard Disc Drive；ハードディスク）、ＲＡＭ（Random Access Memory；ラム）、フラッシュＲＯＭ（Read Only Memory；ロム）等の記憶媒体を有している。
【００３６】
入力画像処理部２３及び印字画像処理部２４は、ソフトウェアにより動作するコンピュータにより実現することも可能である。しかしながら、スキャナ部１０による読み取りの速度に追随した高速の処理を実現する上で、これらはソフトウェアを要しないハードウェアのみを搭載したＡＳＩＣ（Application Specific Integrated Circuits；エーシック；特定用途向け集積回路）により構成されるのが望ましい。本実施の形態では、これらがＡＳＩＣで、且つ単一の半導体チップの上に構成されているものとする。
【００３７】
印字画像処理部２４は、画像メモリ２２に記憶されている画像信号を読み出し、印画用の画像信号へ変換する。印字画像処理部２４は、二値化部２５を含んでおり、主要な機能として、画像メモリ２２に記憶されている階調を有する画像信号を、印画のための二値化信号に変換する。二値化部２５は、例えば周知の誤差拡散法に基づいて、階調性ある画像信号を二値化する。
【００３８】
印画部３０は、印字画像処理部２４が出力する印画用の画像信号に基づいて、記録用紙、記録用シート等の記録材に画像を印刷するものである。画像信号に基づいて画像を印刷することを、「画像信号を印刷する」或いは「画像信号を印画する」と称する。印画部３０は、レーザビームを用いた周知の電子写真印刷方式のプリンタとして構成されており、ＬＳＵ（Laser Scanner Unit；レーザスキャナユニット）３１、現像部３２、転写部３３、定着部３４及び用紙搬送部３５を含んでいる。
【００３９】
ＬＳＵ３１は、印字画像処理部２４が出力する画像信号に基づいてレーザビームを変調し、不図示の帯電した感光ドラム上に走査させ、それにより感光ドラム上に潜像を形成する。現像部３２は、潜像が形成された感光ドラムにトナー、キャリアを含む現像剤を静電吸着させ、それにより潜像を顕在化させる。転写部３３は、現像剤を感光ドラムから記録材へ転写する。定着部３４は、記録材に現像剤を定着させる。用紙搬送部３５は、記録材を不図示の記録用紙トレイから転写部３３へ搬送し、更に定着部３４へ搬送した後、不図示の記録済み用紙トレイに排出する。
【００４０】
制御部４０は、ＣＰＵ（Central Processing Unit；中央演算処理部）４１に加えて、このＣＰＵ４１の動作を規定するプログラムを格納するＲＯＭ４３、一時的にデータを保管するＲＡＭ４２等の記憶部を有している。すなわち、制御部４０はコンピュータを備えている。それにより、制御部４０は、不図示の操作パネル等で受け付けられたユーザの指示情報や、画像形成装置１００の各所に設けられているセンサからの検出信号に応じて、スキャナ部１０、画像処理部２０及び印画部３０を含む画像形成装置１００全体の制御を行う処理を実行する。
【００４１】
制御部４０としてのコンピュータが読み取ることによってこれらの機能を実現するための上記プログラムは、不図示のＨＤＤ等の不揮発性かつ大容量の外部記憶装置に格納しておき、例えばＲＡＭ４２を用いた主記憶装置に適宜転送することにより、ＣＰＵ４１による実行に供することも可能である。上記プログラムは、ＲＯＭ４３或いは不図示のＣＤ−ＲＯＭ等の記録媒体を通じて供給することも、不図示のネットワークインタフェースに接続されるネットワーク等の伝送媒体を通じて供給することも可能である。伝送媒体は、有線の伝送媒体に限らず無線の伝送媒体であっても良い。また、伝送媒体は通信線路のみでなく、通信線路を中継する中継装置、例えばルータ等をも含む。
【００４２】
プログラムがＲＯＭ４３を通じて供給される場合には、当該プログラムが記録されたＲＯＭを制御部４０に搭載することにより、ＣＰＵ４１による実行に供することができる。プログラムがＣＤ−ＲＯＭを通じて供給される場合には、ＣＤ−ＲＯＭ読み取り装置を、例えば不図示のパラレルインタフェースへ接続し、当該プログラムをＲＡＭ４２或いは不図示のＨＤＤへ転送することにより、ＣＰＵ４１による実行に供することができる。また、プログラムが伝送媒体を通じて供給される場合には、ネットワークインタフェースを通じて受信したプログラムをＲＡＭ４２或いは不図示のＨＤＤへ転送することにより、ＣＰＵ４１による実行に供することができる。
【００４３】
なお、一般に画像形成装置は、複写機、プリンタ機、ファクシミリ装置、或いはそれらを兼ね備えた複合機等、画像または画像信号の入力および出力を行う装置を広く包含するものである。そして、画像形成機能とは、画像または画像信号の入力および出力を行う機能を広く包含する概念である。したがって、一般に画像形成装置には、画像信号を取り込む画像入力部、画像または画像信号を出力する画像出力部、およびそれらを制御する制御部が設けられている。画像入力部は、画像が記録された記録紙から画像を読み取るスキャナ部１０および画像信号を受信する画像信号受信部のうちの少なくとも１を有しており、画像出力部は、画像を記録用材に記録する印画部３０および画像信号を送信する画像信号送信部のうち少なくとも１を有している。例えば、プリンタ機であれば画像信号受信部と印画部３０とが設けられており、ファクシミリ装置の送信機能を果たす部分にのみ着目すれば、スキャナ部１０と画像信号送信部とが設けられている。画像形成装置の一般的概念は上記の通りであるが、本発明の一実施形態としての画像形成装置１００は、画像入力部にスキャナ部１０を含み、画像出力部に印画部３０を含んでいる。
【００４４】
（画像処理部の構成）
図２は、入力画像処理部２３の構成例を示すブロック図である。入力画像処理部２３は、シェーディング補正部５１、γ（ガンマ）補正部５２、色収差補正部５３、ＭＴＦ（Modulation Transfer Function；エムティーエフ）補正部５４、スキャナ色補正部５５、ＲＧＢ／ＹＣＭ変換部５６、文字領域検出／エッジ検出部５７、適応フィルタ処理部５８及びエッジ色変換処理部５９を含んでいる。注目すべきは、画像処理部２３が、イエロー文字にエッジ強調を施すエッジ色変換処理部５９を含んでいる点である。シェーディング補正部５１から適応フィルタ処理部５８までの各部の構成及び機能は従来周知であるので、以下の通り、それらに関する説明は簡略なものに止める。
【００４５】
シェーディング補正部５１は、スキャナ部１０が出力するＲＧＢを色成分とする画像信号の入力を受けるとともに、当該入力画像信号に対してシェーディング補正を施す。シェーディング補正は、白基準及び黒基準データに基づいて、主走査方向に沿った露光ランプ１１の光量のばらつき、及びＣＣＤ１２の感度のばらつきによる、画像信号の値、すなわち画素値（濃度とも表現する）のばらつきを補正するものである。γ補正部５２は、シェーディング補正後の画像信号に対して、各画素の色成分毎に階調特性を変更するガンマ補正を施す。
【００４６】
色収差補正部５３は、γ補正後の画像信号に対して、画素毎に色収差補正を施す。色収差補正は、ＲＧＢ各色の波長の相違、及びスキャナ部１０が有する不図示のレンズの特性に起因する色ずれを補正するものである。ＭＴＦ補正部５４は、色収差補正後の画像信号に対して、ＭＴＦ補正を施す。ＭＴＦ補正は、ＣＣＤ１２へ入射する光が、不図示のレンズにより「ぼけ」を生じることを考慮して、当該「ぼけ」を補正することにより、めりはりの効いた画像信号に変換するものである。スキャナ色補正部５５は、ＭＴＦ補正後の画像信号に対して、画素毎にＲＧＢ各色の画素値に含まれる混色成分を除去する補正を施す。ＲＧＢ／ＹＣＭ変換部５６は、ＲＧＢを色成分とする画像信号を、ＹＣＭを色成分とする画像信号へ変換する。
【００４７】
文字領域検出／エッジ検出部５７は、スキャナ色補正部５５が出力する画像信号に対して、画素毎に、当該注目画素が文字領域、網点領域等の何れの画像領域に該当するか、及びエッジ部分に該当するか否かを検出する。文字領域検出／エッジ検出部５７は、それぞれの判定結果を表現する領域判定信号ＡＳＩＧ及びエッジ検出信号ＥＤＧＥを画素毎に出力する。適応フィルタ処理部５８は、ＹＣＭを色成分とする画像信号に対して、画質を高めるためのフィルタ処理を施す。適応フィルタ処理部５８は、画像の種類に適したフィルタ処理を行うために、領域判定信号ＡＳＩＧ及びエッジ検出信号ＥＤＧＥを参照する。特徴あるエッジ色変換処理部５９については、後に詳述する。
【００４８】
図３は、文字領域検出／エッジ検出部５７の構成を示すブロック図である。文字領域検出／エッジ検出部５７の各構成要素も周知であるので、その説明は概略なものに止める。文字領域検出／エッジ検出部５７は、ＲＧＢ／ＹＵＶ変換処理部６１、彩度判定部６２、Ｙ反転部６３、文字候補／文字周囲検出部６４、エッジ検出部６５、密集細線／写真領域検出部６６、文字領域信号生成部６７、黒／色文字信号生成部６８、文字領域信号拡張部６９、網点信号生成部７０及び領域信号合成部７１を含んでいる。
【００４９】
ＲＧＢ／ＹＵＶ変換処理部６１は、文字領域検出／エッジ検出部５７へ入力されたＲＧＢを色成分とする画像信号を、Ｙ（輝度）、Ｕ（色差）及びＶ（色差）を色成分とする画像信号へ変換する。彩度判定部６２は、ＲＧＢ／ＹＵＶ変換処理部６１が出力するＵ成分及びＶ成分の画素値に基づいて、各画素が有彩色であるか無彩色であるかを判定する。この判定は、例えば、２つの所定の閾値ＴＬ、ＴＨ（０＜ＴＬ＜ＴＨ＜２５５）を用いて、注目画素が、ＴＬ＜Ｕ＜ＴＨ、且つ、ＴＬ＜Ｖ＜ＴＨ、を充足する場合に、当該画素が無彩色であると判定し、充足しない場合には有彩色であると判定することにより行われる。判定の結果は、黒／色文字信号生成部６８で利用される。
【００５０】
Ｙ反転部６３は、Ｙ成分の画素値を反転させる。すなわち、画素値Ｙを、２５５−Ｙへ変換する。文字候補／文字周囲検出部６４、エッジ検出部５７、及び密集細線／写真領域検出部６６による検出処理は、反転後のＹ成分の画素値を用いて実行される。文字候補／文字周囲検出部６４は、注目画素が、文字候補に該当するか否か、及び文字周囲に該当するか否かを検出する。そのために、文字候補／文字周囲検出部６４は、例えば、反転後のＹ成分の画素値に対して、ガンマ補正処理、積分フィルタ処理、二次微分フィルタ処理、及び閾値処理を順次施す。ここで行われるガンマ補正処理は、所定値未満の画素値をゼロに変換する処理である。積分フィルタ処理は、例えば、注目画素を中心とする７×７フィルタを用いて積分処理を行うものである。二次微分フィルタ処理は、例えば、注目画素を中心とする７×７フィルタを用いて二次微分処理を行うものである。閾値処理は、例えば、二つの所定の閾値ＴＣ、ＴＡ（０＜ＴＣ＜２５５；−１２８＜ＴＡ＜１２７）を用いて、二次微分処理後の画素値Ｄが、ＴＣ＜Ｄであれば、注目画素が文字候補に該当すると判定し、Ｄ＜ＴＡであれば、注目画素が文字周囲に該当すると判定するものである。
【００５１】
エッジ検出部６５は、注目画素が、エッジ部分に該当するか否かを検出する。そのために、エッジ検出部６５は、例えば、反転後のＹ成分の画素値に対して、ガンマ補正処理、二次微分フィルタ処理、下地画素カウント処理、及びエッジ信号生成処理を順次施す。ここで行われるガンマ補正処理は、文字候補／文字周囲検出部６４が行うガンマ補正処理と同様の処理である。二次微分フィルタ処理は、例えば、図４に示すような注目画素を中心とする７×７二次微分フィルタを用いて行われる。一般に、フィルタ処理は、各画素の値と対応するフィルタの値との積を積算することにより実行される。下地画素カウント処理は、例えば、注目画素を中心とする７×７画素のうち、四隅と四辺の中心との合計８画素について、画素値が所定の閾値未満である画素の個数をカウントし、当該カウント値が別の所定の閾値ＴＮ以上であるか否かを判別する。エッジ信号生成処理は、二次微分フィルタ処理が施されて得られた値が更に別の所定の閾値を越えており、且つ、上記カウント値が閾値ＴＮ以上である場合に、注目画素がエッジ部分に該当すると判断し、それ以外の場合には、エッジ部分には該当しないと判断する。図５に例示するように、エッジ検出部６５による判断の結果は、例えば１ビットのエッジ検出信号ＥＤＧＥによって表現される。
【００５２】
図３に戻って、密集細線／写真領域検出部６６は、注目画素が縦密集細線に該当するか否か、横密集細線に該当するか否か、及び写真領域に該当するか否かを判定する。この判定は、例えば、注目画素を中心とする９×９画素について、主走査方向に沿った隣接画素どうし画素値の差の絶対値の積算値と、副走査方向に沿った隣接画素どうし画素値の差の絶対値の積算値とを算出し、これらの積算値の大きさを所定の閾値と比較することによって行われる。
【００５３】
文字領域信号生成部６７は、注目画素が文字領域に該当するか否かを示す文字領域信号を生成する。文字領域信号生成部６７は、例えば、注目画素が、エッジ部に該当し、且つ文字候補と密集細線との何れかに該当する場合に、文字領域に該当すると判定する。黒／色文字信号生成部６８は、文字領域が有彩色文字の領域である色文字領域に該当するか、無彩色の文字の領域である黒文字領域に該当するかを判定する。文字領域信号生成部６７は、注目画素が文字領域に該当する場合に、再度判定部６２が注目画素について有彩色と判定しておれば、注目画素を色文字領域に該当すると判定し、無彩色と判定しておれば、黒文字領域に該当すると判定する。
【００５４】
文字領域信号拡張部６９は、文字領域を周辺画素に拡張する処理を行う。より詳細には、文字領域信号拡張部６９は、例えば注目画素を中心とする３×７画素のうち、色文字領域画素が一つ以上あれば、注目画素を色文字領域に該当すると判定し、黒文字領域が一つ以上あれば黒文字領域に該当すると判定する。
【００５５】
網点信号生成部７０は、注目画素が網点領域であるか否かを判定する。網点信号生成部７０は、例えば、注目画素が文字周囲に該当せず、且つ、写真領域に該当しない場合に、網点領域に該当するものと判定する。
【００５６】
領域信号合成部７１は、注目画素が、黒文字領域、色文字領域、網点領域の何れに該当すると判定されたかに基づいて、注目画素が該当する画像領域を示す領域判定信号ＡＳＩＧを生成し出力する。注目画素について、黒文字領域に該当するという判定、色文字領域に該当するという判定、及び網点領域に該当するという判定は、必ずしも排他的であるとは限らない。ある注目画素について、黒文字領域に該当すると判定されると同時に、色文字領域に該当すると判定され、更に網点領域にも該当すると判定される場合もあり得る。領域信号合成部７１は、各判断の間の優先順位を予め定めておき、当該優先順位に従って、重複する判定の間の調整を行い、領域判定信号ＡＳＩＧを生成する。図６に例示するように、領域判定信号ＡＳＩＧは、例えば２ビットで注目画素が該当する領域を表現する。
【００５７】
なお、文字領域検出／エッジ検出部５７の構成要素のうち、エッジ検出部６５は本発明のエッジ検出部の一実施の形態に該当し、領域判定信号ＡＳＩＧを生成するためのエッジ検出部６５をも含む一連の構成要素は、本発明の文字領域検出部の一実施の形態に該当する。
【００５８】
（エッジ色変換処理部の構成）
図７は、エッジ色変換処理部５９の構成例を示す回路図である。図７に例示するように、エッジ色変換処理部５９は、周知のデジタルＩＣ（集積回路）を組み合わせることにより容易に構成することが可能である。このことは、入力画像処理部２３の他の構成要素とともに、エッジ色変換処理部５９をＡＳＩＣにより容易に構成し得ることを示している。図７の例では、エッジ色変換処理部５９は、減算器７５及び７６、比較器（コンパレータ）７９及び８０、論理積回路８１〜８３、加算器８４及び８５、レジスタ７７，７８，８６，８７、並びにマルチプレクサ８８及び８９を含んでいる。
【００５９】
減算器７５は、適応フィルタ処理部５８が出力するＹ成分及びＣ成分の画素値の差ΔＹＣ（＝Ｙ−Ｃ）を算出する。同様に、減算器７６は、適応フィルタ処理部５８が出力するＹ成分及びＭ成分の画素値の差ΔＹＭ（＝Ｙ−Ｍ）を算出する。比較器７９は、差ΔＹＣがレジスタ７７に保持される所定値（第１所定値）よりも大きいか否かを判定する。同様に、比較器８０は、差ΔＹＭがレジスタ７８に保持される所定値（第２所定値）よりも大きいか否かを判定する。
【００６０】
レジスタ７７及び７８は、例えばＲＡＭのメモリセルと同様に構成され、各々８ビットの信号を保持するものである。かかるレジスタ７７及び７８の値は、例えば画像処理装置１００の電源が投入された直後に行われる初期化の過程で、制御部４０のＣＰＵ４１により書き込まれる。レジスタ７７及び７８は、エッジ色変換処理部５９の不図示の負電源線及び正電源線の何れか一方に個別に接続された８本の抵抗素子列に置き換えられても良い。レジスタ８６及び８７についても同様である。
【００６１】
論理積回路８１は、２個の比較器７９及び８０の何れもが出力をアクティブにする（すなわちアサートする）場合に限り、出力ＬＬをアクティブにする。すなわち、減算器７５及び７６、比較器７９及び８０、レジスタ７７及び７８、並びに論理積回路８１は、本発明のイエロー検出部の一実施の形態に該当する。
【００６２】
論理積回路８２は、領域信号合成部７１が、２ビットの領域判定信号ＡＳＩＧとして「１０」を出力するとき、すなわち処理対象となる注目画素が色文字領域であると判定された場合に限り、出力ＣＣをアクティブにする。論理積回路８３は、出力ＬＬ及び出力ＣＣが共にアクティブであり、且つ、エッジ検出部６５が出力する１ビットのエッジ検出信号ＥＤＧＥが「１」である場合に限り、出力をアクティブにする。すなわち、注目画素がエッジ部に該当するとともに色文字領域に該当し、且つ、Ｙ成分がＣ成分よりも所定値を越えて高く、Ｙ成分がＭ成分よりも別の所定値を越えて高い場合に限り、論理積回路８３はアクティブの信号を出力する。
【００６３】
加算器８４は、適応フィルタ処理部５８が出力するＣ成分の画素値に、レジスタ８６に保持される所定値（第３所定値）を加算する。同様に、加算器８５は、適応フィルタ処理部５８が出力するＭ成分の画素値に、レジスタ８７に保持される所定値（第３所定値）を加算する。マルチプレクサ８８は、論理積回路８３の出力に応じて、適応フィルタ処理部５８が出力するＣ成分の画素値と、加算器８４が出力する加算値の何れかを選択して出力する。同様に、マルチプレクサ８９は、論理積回路８３の出力に応じて、適応フィルタ処理部５８が出力するＭ成分の画素値と、加算器８５が出力する加算値の何れかを選択して出力する。マルチプレクサ８８及び８９は何れも、論理積回路８３の出力がアクティブであるときには、加算値の方を選択して出力する。
【００６４】
従って、注目画素がエッジ部に該当するとともに色文字領域に該当し、且つ、Ｙ成分がＣ成分よりも所定値を越えて高く、Ｙ成分がＭ成分よりも別の所定値を越えて高い場合には、当該注目画素がイエロー文字領域のエッジ部分に該当するものとして、Ｃ成分及びＭ成分の画素値がかさ上げされる。それにより、イエロー文字領域のエッジ部分にエッジ強調が施されることとなる。注目画素がイエロー文字領域のエッジ部分に該当しない場合には、エッジ色変換処理部５９は、適応フィルタ処理部５８が出力するＹ、Ｃ、Ｍ各成分の画素値を、変換することなくそのまま出力する。すなわち、論理積回路８３、加算器８４及び８５、レジスタ８６及び８７、並びにマルチプレクサ８８及び８９は、本発明のエッジ強調処理部の一実施の形態に該当する。
【００６５】
（画像処理装置の動作）
図８は、画像処理部２０（図１）による処理の主要な流れの一例を示すフローチャートである。スキャナ部１０が原稿の読み取りを開始すると同時に、画像処理部２０が処理を開始する。処理が始まると、まず、シェーディング補正部５１からスキャナ色補正部５５に至る各種補正部（図２）が、ＲＧＢを色成分とする入力画像信号に対して、各種の補正を実行する（ステップＳ１）。次に、ＲＧＢ／ＹＵＶ変換処理部６１（図３）は、補正後の画像信号に対してＲＧＢを色成分とする形式からＹＵＶを色成分とする形式へ変換する（ステップＳ２）。
【００６６】
次に、エッジ検出部６５は、Ｙ成分の画素値に基づいて、エッジ部分に該当する画素を検出する（ステップＳ３）。次に、彩度判定部６２から領域信号合成部７１に至る部分は、色文字領域に該当する画素を検出する（ステップＳ４）。続いて、エッジ色変換処理部５９（図７）は、各画素についてＹＣＭ各成分の画素値を検出する（ステップＳ５）。
【００６７】
次に、減算器７５及び７６から論理積回路８１に至る回路（図７）は、各画素について、Ｙ成分の画素値がＭ成分及びＣ成分の画素値に比べて極端に大きいか否かを判定する（ステップＳ６）。続いて、論理積回路８２及び論理積回路８３は、各画素について、当該画素がエッジ部分に該当し、且つ色文字領域に該当するか否かを判定する（ステップＳ７）。加算器８４及び８５からマルチプレクサ８８及び８９に至る回路は、ステップＳ６及びステップＳ７の判定が共に肯定的である場合には、Ｃ成分及びＭ成分の画素値を高めに変換し（ステップＳ８）、何れかの判定が否定的である場合には変換を行わない。
【００６８】
次に、エッジ色変換処理部５９が出力する画像信号は、画像メモリ２２に記録され、その後ユーザの指示にもとづいて、或いは記録されると同時に、印字画像処理部２４により印字用の画像信号に変換された上で、印画部３０によりプリントされる（ステップＳ９）。スキャナ部１０から送られるすべての入力画像信号について以上の処理が終了すると、処理は終了する。
【００６９】
画像処理部２０は以上のように構成され動作するので、イエロー文字は例えば図９に示すように変換される。図９では、「Ｐ」という厚みのある文字が、イエロー文字に該当するものと仮定している。図９（ａ）は、変換前のイエロー文字「Ｐ」のＹＣＭ各成分を分解して示しており、図９（ｂ）は変換後のＹＣＭ各成分を重ねて示している。図９（ｂ）が示すように、イエロー文字「Ｐ」のエッジ部分では、Ｃ成分及びＭ成分の濃度がかさ上げされており、それによりエッジ強調が実現されている。その結果、白色ないしそれに近い色の背景の上に描かれたイエロー文字「Ｐ」の輪郭が、視覚上明瞭に読み取り得るものとなっている。
【００７０】
図９（ｂ）の例では、エッジ部として、Ｙ（輝度）成分が主走査方向に沿って急激に減少する部分と、副走査方向の逆方向に沿って急激に減少する部分とが検出されている。従って、イエロー文字の右側及び上側にエッジ強調が施されている。このため、比較的細い文字であっても、イエロー主体の文字本来の色の部分を残しつつエッジ強調を施すことが可能となっている。また、イエロー主体の文字に、あたかも陰影が付されたような視覚効果が得られ、視覚上、独特の美観が加わる。このような処理は、図４に例示した、エッジ検出用の二次微分フィルタの注目画素周辺の係数を、注目画素の上方（副走査方向の逆方向）と右方（主走査方向）とにのみ配置することにより実現することができる。二次微分フィルタの設計により、様々なエッジ部分を抽出することが可能である。
【００７１】
（その他の実施の形態）
（１）  上記実施の形態では、エッジ色変換処理部５９は、Ｙ成分とＣ成分等との間の画素値の差に基づいて、注目画素がイエロー文字領域に該当するか否かの判定を行った。これに対して、エッジ色変換処理部５９は、Ｙ成分とＣ成分等との間の画素値の比に基づいて、判定を行っても良い。それには、減算器７５及び７６（図７）を、割算器に置き換え、レジスタ７６及び７７の値として、１をはるかに越える数値、例えば１０〜１００の範囲の数値を付与すると良い。更には、画素値について、Ｙ成分がＣ成分とＭ成分との和よりも所定値を越えて大きいか否か、或いは、Ｙ成分がＣ成分とＭ成分との和よりも所定の比率を超えて大きいか否かに基づいて、判定が行われても良い。
【００７２】
（２）  上記実施の形態では、入力画像処理部２３は、文字領域、エッジ部分、及びイエロー部分のそれぞれについて、該当するか否かを全ての画素について判定した。これに対して、入力画像処理部２３は、文字領域、エッジ部分、及びイエロー部分について、それらのうちの一つが検出された範囲内で他の一つを検出するものであっても良い。例えば、減算器７５及び７６（図７）には、領域判定信号ＡＳＩＧが色文字領域を示すときのみ、或いは更にエッジ検出信号ＥＤＧＥがエッジ部を示すときのみ、Ｙ、Ｃ、Ｍの各成分が入力されるように構成しても良い。
【００７３】
（３）  上記実施の形態では、エッジ検出部６５は、Ｙ（輝度）成分の画素値に基づいて、エッジ部を検出した。これに対して、他の一つの成分、或いは複数の成分の画素値の組合せに基づいて、エッジ部を検出するようにエッジ検出部６５を構成しても良い。
【００７４】
（４）  上記実施の形態では、エッジ色変換処理部５９は、領域判別信号ＡＳＩＧが色文字領域を示すことを条件の一つとして、イエロー文字領域にエッジ強調を施した。これに対して、領域判別信号ＡＳＩＧが、黒文字領域を示す場合も含めて、イエロー文字領域にエッジ強調を施すようにエッジ色変換処理部５９を構成しても良い。この場合には、領域判別信号ＡＳＩＧが色文字と黒文字とを区別する必要がないので、文字領域検出／エッジ検出部５７は、彩度判定部６２を有さなくてもよいという利点が得られる。しかしながら、色文字領域のみを選択してエッジ強調を施す形態では、黒文字領域について不必要なエッジ強調処理が行われ、それにより黒文字領域のエッジ部分が着色されたり、黒文字領域のエッジ部分の濃度が不必要に高くなる不都合が回避される。
【００７５】
（５）  上記実施の形態では、エッジ色変換処理部５９は、イエロー文字領域のエッジ部分に、Ｃ、Ｍの各成分の濃度を高める処理を行い、それによりイエロー文字領域のエッジ強調を行った。これに対して、エッジ色変換処理部５９は、Ｙ、Ｃ、Ｍの３成分にＢＫ（ブラック）成分をも含めた４成分を処理の対象とし、イエロー文字領域のエッジ領域に対して、ブラックの濃度を高めることによってエッジ強調を行うものであってもよい。それにより、イエロー文字の視認性が効果的に高められるとともに、エッジ色変換処理部５９をより簡素に構成することができる。そのためには例えば、図７において、加算器８４、レジスタ８６、及びマルチプレクサ８８の組を、適応フィルタ処理部５８が出力するＢＫ成分のために準備し、代わりにＹ，Ｃ成分のための組を削除すると良い。
【００７６】
（６）  上記実施の形態では、エッジ色変換処理部５９は、イエロー文字領域のエッジ部分について、Ｃ、Ｍの各成分の画素値を所定値（第３所定値）だけ加算することによりエッジ強調を行った。これに対して、エッジ色変換処理部５９は、Ｃ、Ｍの各成分の画素値を所定値（第４所定値）に引き上げることにより、エッジ強調を行っても良い。この場合には、エッジ色変換処理部５９（図７）は、加算器８４及び８５を備える必要がなく、レジスタ８６及び８７が保持する値を、マルチプレクサ８８及び８９に直接に入力することができ、より簡素な構成とすることができる。
【００７７】
（７）  エッジ色変換処理部５９は、エッジ強調すべき画素については、もはや無用に近いＹ（イエロー）成分の濃度を引き下げたり、或いは０にしたりするように構成されても良い。それには、図７において、Ｙ成分の信号線に別のマルチプレクサを介挿し、論理積回路８３の出力に応じて、Ｙ成分の信号を通過させたり、或いは別のレジスタに保持される低い固定値を選択したりするように、エッジ色変換処理部５９を構成すると良い。無用なイエロー成分が引き下げられるので、画像信号を印画した場合に、不必要なイエローの記録を抑え、それによりインク、トナー等の記録剤を幾分か節減することができる。
【図面の簡単な説明】
【００７８】
【図１】本発明の一実施の形態による画像形成装置の構成を示すブロック図である。
【図２】図１の入力画像処理部の構成例を示すブロック図である。
【図３】図２の文字領域検出／エッジ検出部の構成を示すブロック図である。
【図４】二次微分フィルタを例示する説明図である。
【図５】エッジ検出信号の値を例示する表形式の説明図である。
【図６】領域判別信号の値を例示する表形式の説明図である。
【図７】図２のエッジ色変換処理部の構成例を示す回路図である。
【図８】図１の画像処理部による処理の主要な流れの一例を示すフローチャートである。
【図９】図２のエッジ色変換処理部の動作説明図である。
【符号の説明】
【００７９】
１０  スキャナ部
２０  画像処理部
２３  入力画像処理部（画像処理装置）
３０  印画部
５７  文字領域検出／エッジ検出部
５９  エッジ色変換処理部
６２  彩度判定部
６４  文字候補／文字周囲検出部
６５  エッジ検出部
６７  文字領域信号生成部
６８  黒／文字信号生成部
６９  文字領域信号拡張部
７１  領域信号合成部
１００  画像形成装置
【図１】
2007067908.tif 000003
【図２】
2007067908.tif 000004
【図３】
2007067908.tif 000005
【図４】
2007067908.tif 000006
【図５】
2007067908.tif 000007
【図６】
2007067908.tif 000008
【図７】
2007067908.tif 000009
【図８】
2007067908.tif 000010
【図９】
2007067908.tif 000011